(57)【要約】【課題】スナップ結合されていて下端が前面パネル内に位置している操作つまみの取外し作業を効率よく行える揺動操作型電気部品を提供する。【解決手段】シーソースイッチ１は、ケース５の立壁部５ｉに回動自在に支持されたベースつまみ１２に、外装体としての化粧つまみ１３をスナップ結合して操作つまみ１０となしており、この操作つまみ１０が前面パネル５１の開口部５１ａ内に揺動可能に露出している。化粧つまみ１３には係止爪部１４ａ，１５ａを内向きに突出させた弾性脚１４，１５が垂設されており、これら係止爪部をベースつまみ１２の外縁部に係着させている。弾性脚１５には外向きに突出する受け部１５ｂが設けてあり、受け部１５ｂの下方にケース５の丸孔５ｃが位置している。化粧つまみ１３を取り外す際には、丸孔５ｃ側から治具６０で受け部１５ｂを押し込むことによって、化粧つまみ１３を傾倒させて位置規制しつつ弾性脚１５を外側へ押し撓めることができる。【選択図】図２
2011187170.tif 000002
【特許請求の範囲】
【請求項１】
上面板に立壁部およびストッパ部が設けられているケースと、前記立壁部に回動自在に支持された操作つまみと、前記ケースの内部に収納されたスイッチ素子とを備え、前記操作つまみを揺動操作することによって前記スイッチ素子をオン動作させる揺動操作型電気部品であって、
前記操作つまみが、前記立壁部に枢着されたベースつまみと、複数の弾性脚を垂設して前記ベースつまみにスナップ結合によって外装された化粧つまみとからなり、前記複数の弾性脚の互いに略対向する側に突設された係止爪部を前記ベースつまみに係着させることによって前記化粧つまみが該ベースつまみに取り付けられていると共に、所定の前記弾性脚にその前記係止爪部とは逆向きに突出する受け部を設け、この受け部が前記ケースの空所と対向するようになし、
前記スナップ結合を解除する際に、前記空所側から前記受け部を治具で押圧することにより、前記化粧つまみを傾倒させて前記ストッパ部に当接させつつ前記所定の弾性脚を前記受け部の存する側へ押し撓めるように構成したことを特徴とする揺動操作型電気部品。
【請求項２】
請求項１の記載において、前記所定の弾性脚の先端寄りの位置に前記受け部を外向きに突設し、該弾性脚のさらに先端寄りの位置に前記係止爪部を内向きに突設したことを特徴とする揺動操作型電気部品。
【請求項３】
請求項１または２の記載において、前記複数の弾性脚の前記係止爪部を前記ベースつまみの外縁部に係着させるというスナップ結合によって前記化粧つまみが該ベースつまみに取り付けられていることを特徴とする揺動操作型電気部品。
【請求項４】
請求項１の記載において、前記弾性脚を前記操作つまみの揺動中心軸から離間して形成し、前記係止爪部および前記受け部を前記操作つまみの揺動中心軸と直交する方向に配置すると共に、前記係止爪部を前記操作つまみの揺動中心軸の側に配置し、前記受け部を反対側に配置したことを特徴とする揺動操作型電気部品。
【発明の詳細な説明】
【技術分野】
【０００１】
本発明は、シーソースイッチなどの揺動操作型電気部品に係り、特に、ユーザの手指によって揺動操作される操作つまみの取付構造に関するものである。
【背景技術】
【０００２】
シーソースイッチは、例えば車両のパワーウインドを開閉するためのスイッチ装置や、車両シートに内蔵されて腰部を保護するためのランバーサポートを操作するためのスイッチ装置などとして広く採用されている。この種のシーソースイッチの基本構造について説明すると、外殻部材であるケースの内部に回路基板が収納されており、この回路基板上にスイッチ素子が実装されていると共に、スイッチ素子の上方でケースの上面板に操作つまみが取り付けられている。この操作つまみは、ケースの上面板に立設された立壁部に外側から枢着されており、該立壁部が操作つまみを回動自在に支持している。なお、操作つまみをケースの立壁部に取り付ける際には、一方の軸孔に他方の支軸を嵌入させるというスナップ結合が一般的であり、操作つまみの相対向する側壁部に設けた軸孔に、ケースの立壁部に設けた支軸を内側から嵌入させることが多い（例えば、特許文献１参照）。
【０００３】
このように概略構成されたシーソースイッチは、ケースの上面板を覆う前面パネル（化粧パネル）と組み合わされて使用され、この前面パネルの開口部に操作つまみを露出させる。そして、シーソースイッチの操作つまみの両端がユーザの手指によって揺動操作されると、操作つまみに下向きに設けられた駆動部が直接またはアクチュエータを介してケース内のスイッチ素子を駆動するため、該スイッチ素子がオン動作するようになっている。したがって、操作つまみに対する操作方向や操作量に応じた複数種類のオン信号をシーソースイッチから出力させることができる。
【先行技術文献】
【特許文献】
【０００４】
【特許文献１】特開２００６−２２８５４９号公報
【発明の概要】
【発明が解決しようとする課題】
【０００５】
ところで、前述したシーソースイッチのような従来の揺動操作型電気部品においては、ケースの上面板を覆う前面パネルの開口部と操作つまみの外形を略同一としており、さらに、操作つまみの両端をシーソー操作しても操作つまみの下端と前面パネルとの間に隙間ができないように、操作つまみの下端を前面パネル内に位置させている。これは、前面パネルの上方に操作つまみを配置した場合には、シーソー操作に伴い操作つまみの下端と前面パネルとの間の隙間が変わってしまい、デザイン上好ましくないからである。したがって、このように前面パネルの開口部と操作つまみの外形を略同一とし、かつ操作つまみの下端を前面パネル内に位置させた場合、意匠性が向上すると共に操作つまみが前面パネルから上方へ大きく突出しないため、スペースファクタを向上させることができる。しかしながら、その場合、操作つまみの下端は前面パネル内部に位置しているため、ケースの立壁部にスナップ結合されている操作つまみを取り外す必要性が生じたとき（例えば外観の傷んだ操作つまみを交換する際など）に、操作つまみにスナップ結合を外す向きの外側向きの加重を加えることが難しく、その取外し作業が煩雑で効率が悪いという問題があった。
【０００６】
それゆえ、従来は、操作つまみが枢着されているケースを前面パネルから一旦分離させた後に、該枢着部のスナップ結合を解除して操作つまみを取り外すという手順を踏まねばならず、操作つまみを交換した後には再び前面パネルとの組み合わせ作業を行わねばならなかった。
【０００７】
本発明は、このような従来技術の実情に鑑みてなされたもので、その目的は、スナップ結合されていて下端が前面パネル内に位置している操作つまみの取外し作業を効率よく行える揺動操作型電気部品を提供することにある。
【課題を解決するための手段】
【０００８】
上記の目的を達成するために、本発明は、上面板に立壁部およびストッパ部が設けられているケースと、前記立壁部に回動自在に支持された操作つまみと、前記ケースの内部に収納されたスイッチ素子とを備え、前記操作つまみを揺動操作することによって前記スイッチ素子をオン動作させる揺動操作型電気部品において、前記操作つまみが、前記立壁部に枢着されたベースつまみと、複数の弾性脚を垂設して前記ベースつまみにスナップ結合によって外装された化粧つまみとからなり、前記複数の弾性脚の互いに略対向する側に突設された係止爪部を前記ベースつまみに係着（スナップイン）させることによって前記化粧つまみが該ベースつまみに取り付けられていると共に、所定の前記弾性脚にその前記係止爪部とは逆向き（外向き）に突出する受け部を設け、この受け部が前記ケースの空所（孔や切欠き）と対向するようになし、前記スナップ結合を解除する際に、前記空所側から前記受け部を治具で押圧することにより、前記化粧つまみを傾倒させて前記ストッパ部に当接させつつ前記所定の弾性脚を前記受け部の存する側へ押し撓めるように構成した。
【０００９】
このようにベースつまみの外側に化粧つまみをスナップ結合して操作つまみとなせば、化粧つまみに外観上の不具合が生じたときにベースつまみを取り外さなくても、化粧つまみをベースつまみから取り外して交換するだけで済む。また、化粧つまみの所定の弾性脚に内向きの係止爪部だけでなく外向きの受け部も突設しておき、この受け部がケースの空所側から治具で押圧できるようにしてあると、化粧つまみのスナップ結合を解除する際に、受け部の下方から治具に押し込まれた化粧つまみが傾倒してストッパ部に当接した後、さらに治具で受け部を押圧することによって該弾性脚を受け部の存する側（外側）へ強く押し撓めることができる。つまり、該弾性脚を下方から反スナップイン方向へ強い力で押し撓めることができるため、ベースつまみに対する該弾性脚の係止爪部の係着状態を簡単に解除することができる。したがって、ベースつまみに強固にスナップ結合されている低背な化粧つまみを取り外す際に、わざわざケースと前面パネル（化粧パネル）を分離させなくても、この化粧つまみを下方から治具（例えば金属棒など）で押圧するだけで簡単に取り外せるようになる。また、弾性脚を化粧つまみ側に設けているので簡単な構成とすることができる。
【００１０】
上記の構成において、所定の弾性脚の先端寄りの位置に受け部を外向きに突設し、該弾性脚のさらに先端寄りの位置に係止爪部を内向きに突設しておけば、化粧つまみをストッパ部で位置規制した状態で下方から受け部を治具で押圧したときに、係止爪部は大きく移動するので、該弾性脚の係止爪部をベースつまみから極めて容易に離脱させることかできるため好ましい。
【００１１】
また、上記の構成において、化粧つまみの各弾性脚の係止爪部をベースつまみの外縁部に係着させるというスナップ結合によって該化粧つまみが該ベースつまみに取り付けられていると、化粧つまみの平面視の大きさを抑制することができて好ましい。
【００１２】
また、上記の構成において、弾性脚を操作つまみの揺動中心軸から離間して形成し、係止爪部および受け部を操作つまみの揺動中心軸と直交する方向に配置すると共に、係止爪部を操作つまみの揺動中心軸の側に配置し、受け部を反対側に配置すれば、治具で受け部を押し込んだ場合、弾性脚が揺動中心軸から離れているので操作つまみは回転して傾き、弾性脚は挿入側が揺動中心軸から離れる方向に傾く。したがって、この状態でさらに受け部を押し込むと、操作つまみの初期状態に比べて弾性脚は挿入側が揺動中心軸から離れる方向に傾いた状態となっていることから、容易に弾性脚はスナップを外す方向である外側に変形可能であり、容易に化粧つまみのスナップ結合を解除できる。
【発明の効果】
【００１３】
本発明の揺動操作型電気部品によれば、ベースつまみの外側に化粧つまみをスナップ結合して操作つまみとなしているため、化粧つまみに外観上の不具合が生じたときにベースつまみを取り外さなくても、化粧つまみをベースつまみから取り外して交換するだけで済む。また、化粧つまみの所定の弾性脚にスナップ結合用の内向きの係止爪部だけでなくスナップ解除用の外向きの受け部が突設してあり、この受け部がケースの空所（孔や切欠き）側から治具で押圧できるようにしてあるため、化粧つまみのスナップ結合を解除する際に、受け部の下方から治具に押し込まれた化粧つまみが傾倒してストッパ部に当接した後、さらに治具で押圧して該弾性脚を反スナップイン方向へ強い力で押し撓めることによって、ベースつまみに対する該弾性脚の係止爪部の係着状態を簡単に解除することかできる。すなわち、ベースつまみに強固にスナップ結合されている化粧つまみを下方から治具（例えば金属棒など）で押圧することによって、そのスナップ結合を容易に解除できるため、ケースの上面板を覆う前面パネル（化粧パネル）からさほど上方へ突出していない低背な化粧つまみを取り外す必要性が生じたときに、ケースと前面パネルを分離させなくても簡単に化粧つまみの取外し作業が行えるようになる。また、弾性脚を化粧つまみ側に設けているので簡単な構成とすることができる。
【図面の簡単な説明】
【００１４】
【図１】本発明の実施形態例に係るシーソースイッチの非使用時の断面図である。
【図２】該シーソースイッチの化粧つまみを取り外す直前の状態を示す断面図である。
【図３】該シーソースイッチの化粧つまみを取り外した状態を示す断面図である。
【図４】該シーソースイッチを含むスイッチユニットの外観図である。
【図５】該スイッチユニットの分解斜視図である。
【図６】該スイッチユニットの側面図である。
【図７】該スイッチユニットの平面図である。
【発明を実施するための形態】
【００１５】
以下、本発明の実施形態例を図１〜図７を参照しつつ説明する。本実施形態例に係るシーソースイッチ１は、車両シートに内蔵されるランバーサポートを操作するためのスイッチ装置として、スイッチユニット４０の一部を構成している。図４〜図７に示すように、このスイッチユニット４０には、背もたれの腰部分の突出量を調整するシーソースイッチ１と、リクライニング調整用のスライドスイッチ２と、座席の前後動および傾きを調整するパワーシート調整用のスライドスイッチ３とが列状に配設されている。このスイッチユニット４０は箱状のブロック体５０（図６，７参照）に組み込まれて運転席の横などに設置され、ブロック体５０の上板部が前面パネル（化粧パネル）５１となっている。そして、前面パネル５１の開口部５１ａ内にシーソースイッチ１の操作つまみ１０が揺動可能に露出し、前面パネル５１の他の開口部５１ｂ，５１ｃ上にスライドスイッチ２，３の操作つまみ２０，３０がそれぞれスライド移動可能に配置されている。なお、図６ではその詳細を省略してあるが、ブロック体５０は上ブロックと下ブロックを組み合わせて形成している。
【００１６】
図５に示すように、スイッチユニット４０は、蓋体４によって下部開放端が覆われる横長のケース５と、ケース５の内部に収納された回路基板６と、回路基板６上に実装された複数のスイッチ素子１１，２１，３１，３２，３３と、スライドスイッチ２，３用のスライダ２２，３４，３５，３６やそのガイド基台７と、前記操作つまみ１０，２０，３０とによって主に構成されている。ケース５の長手方向の両端部にはブロック体５０にねじ止め固定するための取付孔５ａ，５ｂが形成されており、取付孔５ａの近傍には後述する治具６０を挿入可能な丸孔５ｃが形成されている。また、ケース５の上面板には、操作つまみ１０の駆動部１２ａを貫通させるための一対の開口部５ｄや、スライダ２２の柱状部２２ａを貫通させるための開口部５ｅや、スライダ３４，３５，３６の柱状部３４ａ，３５ａ，３６ａを貫通させるための開口部５ｆ，５ｇ，５ｈや、立壁５１や、コイルばね１６を保持する凹部等が形成されている。回路基板６には各スイッチ素子１１，２１，３１，３２，３３から導出された図示せぬ配線パターンが形成されており、これらの配線パターンが出力端子８群と接続されている。ガイド基台７は回路基板６上に固定されている。このガイド基台７には、スイッチ素子２１，３１，３２，３３を個別に臨出させる矩形状の開口部７ａ，７ｂ，７ｃ，７ｄや、スライダ２２，３４，３５，３６の直線方向のスライド移動を個別に案内するガイド溝７ｅ，７ｆ，７ｇ，７ｈ等が形成されている。なお、蓋体４と回路基板６の長手方向の一端部には、ケース５の丸孔５ｃと対向する半円形状の切欠き４ａ，６ａがそれぞれ形成されている。
【００１７】
シーソースイッチ１は、操作つまみ１０の円弧状に窪んだ押圧部１３ａ，１３ｂを選択的に押し込む揺動操作によって、スイッチ素子１１のアクチュエータ１１ａ，１１ｂが選択的に駆動できるように構成されており、いずれの押圧部１３ａ，１３ｂを押し込むかに応じてスイッチ素子１１から２種類の制御信号を出力させることができる。この操作つまみ１０は、ケース５の上面板に立設された立壁部５ｉに枢着されたベースつまみ１２と、揺動中心を挟んだ両側に一対の弾性脚１４，１５を垂設してベースつまみ１２にスナップ結合によって外装された化粧つまみ１３との２部材からなる。化粧つまみ１３は、弾性脚１４，１５の各係止爪部１４ａ，１５ａをベースつまみ１２の外縁部に係着（スナップイン）させている。図１は図７のI−I線で破断した断面図であって支軸５ｊを透視状態で示しているが、この図１に示すように、化粧つまみ１３はベースつまみ１２を上下左右から拘持するように取り付けられているため、この化粧つまみ１３にはベースつまみ１２から意図せず外れる虞のない取付強度が確保されている。ベースつまみ１２の図７で示す中心線（横方向の中心線）より下側の底面には一対の駆動部１２ａが垂設されており、これらの駆動部１２ａがケース５の開口部５ｄを貫通してスイッチ素子１１のアクチュエータ１１ａ，１１ｂ上に搭載されている。また、ベースつまみ１２の図７で示す中心線（横方向の中心線）より上側の底面にはクリック用の凹部が設けられ、操作つまみ１０が所定の傾倒位置まで操作されたときにケース５の上面板に配置されたクリック手段（コイルばね１６、金属球）に係脱してクリック感を生起する。
【００１８】
スライドスイッチ２は、操作つまみ２０が突起５ｌを回転中心とする円弧に沿ってスライド操作されると、スライダ２２を介してスイッチ素子２１を駆動できるように構成されている。操作つまみ２０は図７の略左右方向へ選択的にスライド移動可能であり、スライダ２２の柱状部２２ａが操作つまみ２０と係合しているため、操作つまみ２０とスライダ２２は一体的にスライド移動する。このスライドスイッチ２はスライド操作方向に応じた制御信号をスイッチ素子２１から出力させることができる。また、このスライドスイッチ２には、操作つまみ２０が所定のスライド位置まで操作されたときにクリック感を生起するためのクリック手段（コイルばね２３等）が設けられている。
【００１９】
スライドスイッチ３は、操作つまみ３０がスライド操作されるとスライダ３４，３５，３６を介してスイッチ素子３１，３２，３３を選択的に駆動できるように構成されている。ただし、スイッチ素子３１はスライダ３４によって駆動され、スイッチ素子３２はスライダ３５によって駆動され、スイッチ素子３３はスライダ３６によって駆動される。操作つまみ３０は図７の上下左右方向へ選択的にスライド移動可能であり、また、右側端部および左側端部の上下方向への回転動作が選択的に可能である。スライダ３４，３５，３６はそれぞれ柱状部３４ａ，３５ａ，３６ａが操作つまみ３０と係合しており、操作方向に応じて所定のスライダが操作つまみ３０と一体的にスライド移動するようになっている。このスライドスイッチ３は操作方向に応じた制御信号をスイッチ素子３１，３２，３３から出力させることができる。また、このスライドスイッチ３には、操作つまみ３０が所定のスライド位置まで操作されたときにクリック感を生起するためのクリック手段（コイルばね３７，３８，３９等）が設けられている。
【００２０】
次に、シーソースイッチ１の操作つまみ１０の取付構造について、さらに詳しく説明する。なお、本発明はシーソースイッチ１等の揺動操作型電気部品に関するものであり、またスライドスイッチ２，３の構成は公知技術であって本発明の主要部ではないので、その詳細な説明は省略する。
【００２１】
前述したように、操作つまみ１０はベースつまみ１２の外側に化粧つまみ１３をスナップ結合して一体化したものである。ベースつまみ１２の相対向する側壁部には軸孔１２ｂが形成されており、各軸孔１２ｂに嵌入される一対の支軸５ｊがケース５の立壁部５ｉに横向きに突設されている。ベースつまみ１２は、その側壁部の撓みを利用して軸孔１２ｂに支軸５ｊを嵌入させることによって立壁部５ｉに枢着されるため、この立壁部５ｉがベースつまみ１２を回動自在に支持している。また、非操作時には、ベースつまみ１２の各駆動部１２ａに対してスイッチ素子１１のアクチュエータ１１ａやアクチュエータ１１ｂが上向きのプリテンションを付与しているため、車両走行中などにベースつまみ１２が勝手に揺動してしまう虞はない。
【００２２】
化粧つまみ１３には、前述したようにベースつまみ１２の外縁部に係着させるための係止爪部１４ａ，１５ａを有する弾性脚１４，１５が垂設されているが、このうち弾性脚１５には係止爪部１５ａとは逆向きに突出する受け部１５ｂが設けられている。すなわち、図１と図２に示すように、弾性脚１４，１５の係止爪部１４ａ，１５ａどうしは互いに略対向するように内向きに突設されているが、受け部１５ｂは外向きに突設されている。したがって、係止爪部１５ａおよび受け部１５ｂは操作つまみ１０の揺動中心軸と直交する方向に揺動中心軸から外れ対置に配置され、係止爪部１５ａは操作つまみ１０の揺動中心軸の側に配置され、び受け部１５ｂはその反対側に配置されている。また、係止爪部１５ａは受け部１５ｂよりも弾性脚１５の先端近くに形成されている。そして、ケース５の立壁部５ｉに取り付けたベースつまみ１２に化粧つまみ１３をスナップ結合させるという操作つまみ１０の取付作業が完了すると、受け部１５ｂの下方にケース５の丸孔５ｃが位置して両者１５ｂ，５ｃが対向するようになっている。また、スイッチユニット４０が組み立てられた段階で、丸孔５ｃの下方には回路基板６と蓋体４の切欠き６ａ，４ａが位置しており、このスイッチユニット４０がブロック体５０に組み込まれた段階で、切欠き６ａ，４ａの下方にはブロック体５０の治具挿入孔５２が位置するようになっている（図６参照）。後述するように、治具挿入孔５２から丸孔５ｃへと挿入した金属棒等の治具６０によって弾性脚１５の受け部１５ｂを下方から押し込むことができるため、この治具６０で弾性脚１５を受け部１５ｂの存する側（外側）へ押し撓めることによって、ベースつまみ１２に対する化粧つまみ１３のスナップ結合を解除できるようにしてある。すなわち、治具６０で受け部１５ｂを押し込むと、弾性脚１５が揺動中心軸から外れているので操作つまみ１２は回転して傾き、弾性脚１５は挿入側が揺動中心軸から離れる方向に傾く。したがって、この状態でさらに受け部１５ｂを押し込むと、初期状態に比べて弾性脚１５は挿入側が揺動中心軸から離れる方向に傾いた状態となっていることから、容易に弾性脚１５はスナップを外す方向である外側に変形可能で、容易に化粧つまみ１３のスナップ結合を解除できる。なお、ケース５の上面板における開口部５ｄの近傍には、化粧つまみ１３に当接して操作つまみ１０の最大傾倒角度を規定するストッパ部５ｋが設けられている。
【００２３】
図６に示すように、スイッチユニット４０がブロック体５０にねじ７０等によって取り付けられて組み込まれると、ベースつまみ１２の枢着部（支軸５ｊと軸孔１２ｂ）は前面パネル５１の開口部５１ａ内に位置し、化粧つまみ１３は前面パネル５１から上方へさほど突出しない高さ位置に配置される。このように前面パネル５１の開口部５１ａ内に露出する化粧つまみ１３が低背化されているため、シーソースイッチ１はスペースファクタも良好である。また、操作つまみ１０がストッパ部５ｋに当接して最大傾斜角度となっても、操作つまみ１０の下端は前面パネル５１の下側に位置し、操作つまみ１０と前面パネル５１との間に高さの変わる隙間ができないため、意匠性に優れたものとなっている。
【００２４】
また、外観の傷んだ化粧つまみ１３を交換するなどの理由で、ベースつまみ１２に対する化粧つまみ１３のスナップ結合を解除するという取外し作業を行う際には、図２と図６に示すように、治具挿入孔５２から丸孔５ｃへと挿入した治具６０によって弾性脚１５の受け部１５ｂを下方から押し込む。これにより、図２に示すように、まず化粧つまみ１３がベースつまみ１２と一体的に回転し、弾性脚１５の存する側とは逆側で化粧つまみ１３の外縁部がストッパ部５ｋに当接する。この状態でさらに治具６０で受け部１５ｂを下方から押圧すると、弾性脚１５は受け部１５ｂの存する側（外側）へ押し撓められていく。つまり、弾性脚１５を下方から反スナップイン方向へ強い力で押し撓めることができるため、ベースつまみ１２に対する係止爪部１５ａの係着状態を解除して化粧つまみ１３を取り外すことは容易である。図３はこのようにして化粧つまみ１３を取り外した後の状態を示している。したがって、ベースつまみ１２に強固にスナップ結合されている低背な化粧つまみ１３を取り外す際に、ケース５と前面パネル５１を分離させるためにスイッチユニット４０をブロック体５０から取り出す必要はなく、スイッチユニット４０をブロック体５０に組み込んだままの状態で簡単に化粧つまみ１３をベースつまみ１２から取り外せることになる。
【００２５】
以上説明したように、本実施形態例によれば、ベースつまみ１２に外装体としての化粧つまみ１３をスナップ結合して操作つまみ１０となしているため、化粧つまみ１３に外観上の不具合が生じたときに、わざわざベースつまみ１２を取り外さなくても、化粧つまみ１３をベースつまみ１２から取り外して交換するだけで済む。また、化粧つまみ１３の弾性脚１５にスナップ結合用の内向きの係止爪部１５ａだけでなくスナップ解除用の外向きの受け部１５ｂが突設してあり、この受け部１５ｂがケース５の空所（丸孔５ｃ）側から治具６０で押圧できるようにしてあるため、化粧つまみ１３のスナップ結合を解除する際に、受け部１５ｂの下方から治具６０に押し込まれた化粧つまみ１３が傾倒してストッパ部５ｋに当接した後、さらに治具６０で押圧して弾性脚１５を反スナップイン方向へ強い力で押し撓めることによって、ベースつまみ１２に対する係止爪部１５ａの係着状態を簡単に解除することかできる。すなわち、ベースつまみ１２に強固にスナップ結合されている化粧つまみ１３を下方から金属棒等の治具６０で押圧することによって、そのスナップ結合を容易に解除できるため、ケース５の上面板を覆う前面パネル５１からさほど上方へ突出していない低背な化粧つまみ１３を取り外す必要性が生じたときに、ブロック体５０を上ブロックと下ブロックに分解する必要がなく、さらにねじ７０等を外してケース５と前面パネル５１を分離させなくても、簡単に化粧つまみ１３の取外し作業が行えるようになる。なお、スナップ結合が解除されるのは係止爪部１５ａのみであるが、ベースつまみ１２と化粧つまみ１３の弾性脚１５の根元部分との間には隙間があるため、さらに受け部１５ｂを押すと化粧つまみ１３は回転方向の運動を続け、係止爪部１４ａは下側にずれることとなるので、係止爪部１４ａのベースつまみ１２とのスナップも同時に解除される。
【００２６】
そして、本実施形態例では、弾性脚１５の先端寄りの位置に受け部１５ｂを外向きに突設し、弾性脚１５のさらに先端寄りの位置に係止爪部１５ａを内向きに突設しているため、化粧つまみ１３をストッパ部５ｋで位置規制した状態で下方から受け部１５ｂを治具６０で押圧したときに、係止爪部１５ａは大きく外側に移動するため、弾性脚１５の係止爪部１５ａをベースつまみ１２から極めて容易に離脱させることかできる。また、本実施形態例では、各弾性脚１４，１５の係止爪部１４ａ，１５ａをベースつまみ１２の外縁部に係着させるというスナップ結合により、化粧つまみ１３がベースつまみ１２に取り付けられているため、化粧つまみ１３の平面視の大きさを抑制することができる。
【００２７】
また、本実施形態例では、化粧つまみ１３側に弾性脚１５と受け部１５ｂを設けており、図１の水平方向において、操作つまみ１０の揺動中心軸側からベースつまみ１２、弾性脚１５、受け部１５ｂ、弾性脚１５と受け部１５ｂを弾性変形可能とするスペース、化粧つまみ１３の外観となる表面部分の側面の順に配置されている。よって、ベースつまみ１２側に弾性脚１５と受け部１５ｂを設けた場合に比べて単純構成となり、容易にスナップの解除構造を提供することができる。
【００２８】
なお、上記実施形態例においては、丸孔５によって空所を形成し、これに連なるように回路基板６の切り欠き６ａ、蓋体４の切り欠き４ａ、治具挿入孔５２を位置させている。切り欠き６ａ，４ａを設けているのは、治具挿入孔５２と受け部１５ｂに対向する丸孔５との間に蓋体４および回路基板６が配置されており、これら蓋体４と回路基板６が治具６０の下方から丸孔５への挿入の妨げとなるためである。したがって、蓋体４と回路基板６を治具６０の下方から丸孔５への挿入の妨げとならない形状とすれば、これら切り欠き６ａ，４ａは必ずしも設けなくてもよく、要は、受け部１５ｂに対向する丸孔５へ治具６０がブロック体５０の下側から挿入できる形状となっていればよい。
【００２９】
また、上記実施形態例においては、スイッチユニット４０をブロック体５０に組み込んだ状態で化粧つまみ１３を外す場合について説明したが、スイッチユニット４０単独の状態においても化粧つまみ１３を容易に交換することが可能であり有効である。
【００３０】
なお、シーソースイッチ１の揺動操作によってオン動作するスイッチ素子としては種々の形態のものが使用可能であり、そのスイッチ素子を駆動させる機構も適宜選択可能である。例えば、上記の実施形態例では、ベースつまみ１２の駆動部１２ａがスイッチ素子１１を駆動するように構成されているが、同様の駆動部を化粧つまみ１３に設けることも可能である。
【００３１】
また、上記の実施形態例では、シーソースイッチの操作つまみ取付構造について説明したが、例えば車載用のミラー角度調整スイッチのように操作つまみが多方向へ揺動可能な電気部品であっても、本発明の取付構造を適用可能であることは言うまでもない。
【符号の説明】
【００３２】
１  シーソースイッチ
５  ケース
５ｃ  丸孔（空所）
５ｉ  立壁部
５ｊ  支軸
５ｋ  ストッパ部
６  回路基板
１０  操作つまみ
１１  スイッチ素子
１１ａ，１１ｂ  アクチュエータ
１２  ベースつまみ
１２ａ  駆動部
１２ｂ  軸孔
１３  化粧つまみ
１３ａ，１３ｂ  押圧部
１４，１５  弾性脚
１４ａ，１５ａ  係止爪部
１５ｂ  受け部
４０  スイッチユニット
５０  ブロック体
５１  前面パネル（化粧パネル）
５１ａ  開口部
５２  治具挿入孔
６０  治具
【図１】
2011187170.tif 000003
【図２】
2011187170.tif 000004
【図３】
2011187170.tif 000005
【図４】
2011187170.tif 000006
【図５】
2011187170.tif 000007
【図６】
2011187170.tif 000008
【図７】
2011187170.tif 000009